(57)【要約】【解決手段】本発明は、外側のヘルメットシェル２および内側のヘルメットシェル３を有する、部分的にサンバイザー６によって覆い可能である、面覆い５によって閉鎖可能な視野開口部４を備える、安全用ヘルメット１のための防眩システムに関し、その際、サンバイザー６が、少なくとも１つの第１の防眩モジュール１２を有し、且つ、上側の領域において、この視野開口部を、このサンバイザー１２が、弛緩されたほぼ垂直方向のヘルメット着用者７の頭部姿勢において、水平方向の視線１１の上方に、および垂直方向の視野１０の外側に設けられるように覆っており、およびその際、ヘルメット着用者の前方へ傾斜された頭部状態において、このサンバイザー１２が、垂直方向の視野１０の中に突出する。
2004504511.tif 000002
【特許請求の範囲】
【請求項１】
外側のヘルメットシェルおよび内側のヘルメットシェルを有する、部分的にサンバイザーによって覆い可能である視野開口部を備える、安全用ヘルメットのための防眩システムにおいて、
サンバイザー（６）が、市販の安全用ヘルメットに、システムアップ可能であること、および、
このサンバイザー（６）が、少なくとも１つの防眩モジュール（１６）を有していること、
この防眩モジュールが、視野開口部（４）の外側に位置する上側の領域（１７）でもって、外側ヘルメットシェルと内側のヘルメットシェル（２、３）との間で、
このサンバイザー（６）が、弛緩されたほぼ垂直方向のヘルメット着用者（７）の頭部姿勢において、水平方向の視線（１１）の上方に、および垂直方向の視野（１０）の外側に設けられているように配設することができ、且つ、
このサンバイザー（６）が、ヘルメット着用者の頭部の前方への傾斜によって、垂直方向の視野（１０）の中に旋回入り込み可能であるように構成されていることを特徴とする防眩システム。
【請求項２】
サンバイザー（６）は、防眩モジュール（１６）に対して平行に、第２の防眩モジュール（１４）を有していることを特徴とする請求項１に記載の防眩システム。
【請求項３】
サンバイザー（６）は、第２の防眩モジュール（１４）に対して平行に、更なる防眩モジュール（１２）を有していることを特徴とする請求項２に記載の防眩システム。
【請求項４】
少なくとも１つの防眩モジュール（１２）は、ヘルメット着用者（７）と反対側の、それでもって視野開口部（４）が閉鎖可能である面覆い（５）の外側面（１３）上に、配設されていることを特徴とする請求項１から３のいずれか一つに記載の防眩システム。
【請求項５】
少なくとも１つの防眩モジュール（１４）は、ヘルメット着用者（７）に向いた面覆い（５）の内側面（１５）上に、配設されていることを特徴とする請求項１から４のいずれか一つに記載の防眩システム。
【請求項６】
防眩モジュール（１２、１４、１６）は、水平方向の視線１１に向かって突出するように構成されていることを特徴とする請求項２から５のいずれか一つに記載の防眩システム。
【請求項７】
防眩モジュール（１２、１４、１６）は、透明の着色された材料から成っていることを特徴とする請求項１から６のいずれか一つに記載の防眩システム。
【請求項８】
防眩モジュール（１２、１４、１６）は、異なる着色を有していることを特徴とする請求項７に記載の防眩システム。
【請求項９】
防眩モジュール（１２、１４、１６）は、被覆部を備えていることを特徴とする請求項１から８のいずれか一つに記載の防眩システム。
【請求項１０】
被覆部は、反射する特性を有していることを特徴とする請求項９に記載の防眩システム。
【請求項１１】
被覆部は、グラフィック的要素を有していることを特徴とする請求項９または１０に記載の防眩システム。
【請求項１２】
防眩モジュール（１２、１４、１６）は、位置ずれに対して保護されているように構成されていることを特徴とする請求項１から１１のいずれか一つに記載の防眩システム。
【請求項１３】
防眩モジュール（１２、１４、１６）の内の少なくとも１つの防眩モジュールは、面覆い（５）と接着されていることを特徴とする請求項１から１２のいずれか一つに記載の防眩システム。
【請求項１４】
防眩モジュール（１２、１４、１６）の内の少なくとも１つの防眩モジュールは、閉鎖体によって位置ずれに対して保護されているように構成されていることを特徴とする請求項１から１３のいずれか一つに記載の防眩システム。
【請求項１５】
閉鎖体は、マジックテープ（登録商標）として形成されていることを特徴とする請求項１４に記載の防眩システム。
【請求項１６】
外側のヘルメットシェルと内側のヘルメットシェル（２、３）との間に設けられた防眩モジュール（１６）は、この防眩モジュールの、面覆い（５）と反対側の内側面上に、少なくとも１つの閉鎖体（２２、２３）有しており、この閉鎖体が、ブラシベロア材料から形成されており、且つ、この閉鎖体の、防眩モジュール（１６）と反対側の外側面（２５）上で、この防眩モジュール（１６）の上側の側面（１９）から離れて整向されたパイル状態の起毛方向を備えているように構成されていることを特徴とする請求項１５に記載の防眩システム。
【請求項１７】
防眩モジュール（１６）は、２つの閉鎖体（２２、２３）を有しており、これら閉鎖体が、面覆い開口部（４）の外側に位置する、この防眩モジュール（１６）の上側の領域（１７）内において配設されていることを特徴とする請求項１６に記載の防眩システム。
【請求項１８】
第１および第２の防眩モジュール（１２、１４）は、これら防眩モジュールの水平方向の視線（１１）と反対側の上側の端部において、Ｕ字形に互いに結合されており、且つ、これら防眩モジュールの、面覆い（５）に向いた側面でもって、この面覆い（５）に接触しているように構成されていることを特徴とする請求項２から１７のいずれか一つに記載の防眩システム。
【請求項１９】
サンバイザー（６）は、防眩モジュール（１２、１４、１６）から成るシステムアップセットとして形成されていることを特徴とする請求項１から１８のいずれか一つに記載の防眩システム。
【発明の詳細な説明】
【０００１】
本発明は、外側のヘルメットシェルおよび内側のヘルメットシェルを有する、部分的にサンバイザーによって覆い可能である視野開口部を備える、安全用ヘルメットのための防眩システムに関する。
【０００２】
【従来の技術】
特にオートバイドライバーまたはスノーモービルドライバーのための安全用ヘルメット、即ち保護用ヘルメットは、一般的に、外側の硬質な、および内側の変形可能な且つ衝撃を緩衝するヘルメットシェルから成っている。一体的なヘルメットとして示されている実施形態は、視野開口部、即ち面覆い開口部を有しており、この開口部が、下に向かってあご保護装置によって区画され、且つ、眼を走行風、塵埃、衝突する昆虫、等から保護するために、この視野開口部の両側の回転軸線において、移動可能な、透明な材料から成る面覆いによって閉鎖される。同様に、いわゆるジェット機用ヘルメットも公知であり、これらジェット機用ヘルメットの視野開口部は、垂直方向で下側の領域において開放されている。これらのヘルメットは、面覆いを有して、並びに面覆い無しに提供される。
【０００３】
低いところにある太陽、並びに、夕闇における対向光において、人間の眼の順応性は、一般的に、十分に迅速、且つ効果的に順応され得ない。結果として、ドライバー、即ちヘルメット着用者の眼の苦痛を与える眩輝、および早期な疲労の状態になる。眩輝の際、非常に迅速に、有効な防眩が達せられねばならないのに対して、暗い局面においては、可能な限り多くの光が、ドライバーの眼に到達することが重要である。
【０００４】
ドイツ連邦共和国実用新案第８３　３３　３４６．０　Ｕ１号明細書から、外側のヘルメットシェル、および内側のヘルメットシェルを有する安全用ヘルメットが公知であり、この安全用ヘルメットは、面覆いによって閉鎖可能な視野開口部を有しており、この視野開口部が、部分的に、サンバイザーによって覆い可能である。防眩板が、ヘルメットシェルに沿ったポケット形の切欠き部内へと、視野縁部の上方で、挿入可能である。光の状態に依存して、この防眩板は、走行の前または走行の間に、下に向かって、視野の中に移動される。
【０００５】
この公知の防眩装置の場合、安全用ヘルメット内に、相応する切欠き部が組み込まれねばならず、且つこの防眩装置が、このことによって、広範にシステムアップ可能でないことは欠点である。相応する切欠きポケットおよび位置調節のために必要な位置調節装置は、それに加えて、労力がかかり、且つ相対的に高価である。同様に、走行の間の個々の適合も、相応する危険を伴うドライバーの不注意さを誘起する。
【０００６】
ドイツ連邦共和国特許公開第３５　１７　４１１号明細書から、サンバイザーが公知であり、このサンバイザーは、安全用ヘルメットの面覆いの上側の視野内において、解離可能に固定されている。
【０００７】
この公知の防眩装置の場合、一方では、ただこのサンバイザーのために規定された安全用ヘルメットの面覆いを有するヘルメットだけが、後において、サンバイザー部材を備え得ること、および他方では、この部材の場合、面覆い板の面の２０から７０％に至るまで覆われることが欠点である。このことは、提示されたように、例えば、トンネル走行の場合、この面覆いは、トンネル内における視界の状況が、相応して改善されるために、持ち上げられねばならない。
【０００８】
更に、ヨーロッパ特許公開５９０　２５５号明細書から、安全用ヘルメットが公知であり、この安全用ヘルメットは、外側のヘルメットシェルに沿って支承された付加的面覆いが、サンバイザーとして設けられている。縦溝内において案内された操作要素を介して、第１の視野開口部を解放する位置調節から、第２のこの視野開口部を部分的に覆う位置内へと摺動可能である。
【０００９】
同様にこの公知の構造場合、ドライバーが、操作要素即ち旋回機構を操作するために、少なくとも１つの手を、ハンドルバーから外さねばならず、且つ、このことは、まさに、このドライバーの十分な注意を必要とする時点で、手を外さねばならないことは欠点である。それに加えて、走行の間に、手袋をはめた手でもって、旋回機構を操作することは困難である。夕闇の始まりにおいて、このような、防眩装置は、視線から除去されねばならない。更に、このドライバーが、迅速に十分に、交番する光の状態に対して、反応できないことは欠点である。このような、安全用ヘルメットは、それに加えて、高い構造的な経費を必要とし、且つ、このことによって、相対的に高価である。同様に、この操作要素の突き出た縁部によって、ヘルメットに沿って風騒音の状態にもなる。
【００１０】
【発明が解決しようとする課題】
従って、本発明の課題は、信頼性を高めた、迅速な防眩作用の適応を異なる光の状態において許容する、防眩ヘルメットを提供することであり、その際、一方の手をハンドルバーから外す必要無く、ドライバーは最適な防眩作用を得ることができる。更に、このような防眩装置、即ちこのような防眩システムは、高い構造的な経費無しに、安いコストで製造可能である。
【００１１】
【課題を解決するための手段】
この課題は本発明に従い、請求項１の上位概念の特徴と関連して、
サンバイザーが、市販の安全用ヘルメットに、システムアップ可能であること、および、
このサンバイザーが、少なくとも１つの防眩モジュールを有していること、
この防眩モジュールが、視野開口部の外側に位置する上側の領域でもって、外側ヘルメットシェルと内側のヘルメットシェルとの間で、
このサンバイザーが、弛緩されたほぼ垂直方向のヘルメット着用者の頭部姿勢において、水平方向の視線の上方に、および垂直方向の視野の外側に設けられているように配設することができ、且つ、
このサンバイザーが、ヘルメット着用者の頭部の前方への傾斜によって、垂直方向の視野の中に旋回入り込み可能であることによって解決される。
【００１２】
本発明による防眩システムの配設により、この防眩システムは、夕闇の際に不都合に注意を引き付けること無しに、常時、取付けられていることが可能である。この防眩装置の十分な利用のために、ドライバーは、走行の間に、１つの手も、もはやハンドルバーから外す必要はなく、または全く、走行を中断する必要はない。薄明または夕闇の際、最適な視界を保証するために、この防眩システムは、除去される必要はなく、または、何かあるやり方で、手動で操作される必要はない。この防眩システムを使用する際、ヘルメット着用者、即ちドライバーにとって、知覚可能には、保護用ヘルメット重量は増大せず、付加的な風騒音が形成されもしない。この防眩システムは、輝いた状態の対向光の場合の防眩作用を増大するために、全て公知の防眩装置でもって、少なくとも部分において、組み合わせ可能である。本発明の付加的な利点は、明るい光、および高いところにある太陽の場合、この防眩システムから投影された影によって、眼は、まさに、例えばサングラスの担持が、これら場合にもはや必要ではないように、明確に負荷軽減されることにある。この本発明による防眩システムは、いかなる高い構造的な経費も必要とせず、且つ相対的に安いコストで取付けられ得る。ただ前方への頭部の傾斜によってだけで、ヘルメット着用者は、サンバイザーを、このヘルメット着用者の垂直方向の視野内へと移動する。頭部の傾斜は、その際に、反射的に行われる。
【００１３】
防眩システム、即ちサンバイザーが、異なる市販の安全用ヘルメットに、システムアップ可能であることにより、これら安全用ヘルメットは、安いコストで形成され得る。この防眩システムは、一体的なヘルメット、およびジェット機用ヘルメットにおいてもシステムアップ可能である。このシステムアップは、その際に、市販の安全用ヘルメットの構造的な変更無しに、および、工具無しに、迅速に且つ簡単に実施される。外側のヘルメットシェルと内側のヘルメットシェルとの間の、１つの防眩モジュールの配設によって、特別のポケット形の切欠き部は、必要とされない。
【００１４】
本発明の有利な実施形態により、第１の防眩モジュールに対して平行に、第２の防眩モジュールが配設されており、この第２の防眩モジュールが、水平方向の視線に向かって、この第１の防眩モジュールから突出している。
【００１５】
２つの平行な防眩モジュールの配設により、ヘルメット着用者は、防眩作用を、このヘルメット着用者の欲求に適合させることができる。第２の防眩モジュールの配設により、一方では、陰影度（Ｔｏｅｎｕｎｇｓｇｒａｄ）、即ち防眩作用が向上され、且つ他方では、異なる幅の、即ち突出した防眩モジュールにおいて、段差を付けられた防眩作用が得られる。異なる頭部傾斜により、このヘルメット着用者は、防眩作用を、従って２つの段階において調節可能である。
【００１６】
本発明の更なる有利な実施形態により、このサンバイザーは、第２の防眩モジュールに対して平行に、第３の防眩モジュールを有している。この第３の防眩モジュールが、この第２の防眩モジュールから、同様に突出している限りは、防眩作用は、３つの段階において、ヘルメット着用者の相応する頭部傾斜により調節可能である。防眩システムのモジュール体の構造により、従って、この防眩システムの適合の比類のない可能性は、ドライバーの個々の欲求に対して与えられている。
【００１７】
本発明の更なる有利な実施形態により、第１の防眩モジュールが、ヘルメット着用者と反対側の面覆いの外側面上に、第２の防眩モジュールヘルメット着用者に向いた面覆いの内側面上に配設されている。
【００１８】
この面覆いに沿っての配設により、防眩モジュールは、比較的に簡単に、且つ確実に、安全用ヘルメットに固定され得る。
【００１９】
サンバイザーの無い、ほぼ全てに市販の安全用ヘルメットは、防眩システムの適当な実施形態により、簡単に、且つ安いコストでシステムアップされ得る。その際に、同時に、ヘルメット着用者の欲求に対する個々の適合は可能である。
【００２０】
有利な実施形態により、もちろん同様に単独の防眩モジュールとしても使用される第３の防眩モジュールは、面覆い開口部の外側に位置する上側の領域において、この防眩モジュールの面覆いと反対側の内側面上に、２つの閉鎖体を有しており、これら閉鎖体がブラシベロア材料から形成されている。これら閉鎖体は、これら閉鎖体の、防眩モジュールと反対側の外側面上に、この防眩モジュールの上側の側面から離れて整向されたパイル状態を有している。このことによって、この第３の防眩モジュールは、この第３の防眩モジュールの上側の領域でもって、簡単に、且つ、懸命の努力無しに、外側のヘルメットシェルと内側のヘルメットシェルとの間に挿入され得る。この内側のヘルメットシェルは、その際に、垂直方向に、この防眩モジュールに対して、およびこの防眩モジュールのブラシベロアから成るパイル状態に対して押圧する。この第３の防眩モジュールの引出しは、強制的に、パイル方向、即ちパイル状態の起毛方向に抗して行われねばならず、且つ、基本的に、挿入の際よりもより高い力を必要とする。これらブラシベロアから成る閉鎖体は、非常に信頼性の高い位置安定部材として作用する。
【００２１】
基本的に、多数の防眩モジュールを、重なり合って配設することも可能である。同様に、１つの防眩モジュールを、上り勾配の、もしくは段階を付けられた防眩作用でもって形成することも可能である。
【００２２】
本発明の更なる有利な実施形態により、少なくとも１つの防眩モジュールが、反射する特性を有する被覆部を備えている。
【００２３】
反射する特性により、ヘルメット着用者のための受動的な信頼性は、このヘルメット着用者が、他の道路使用者から比較的に良好に目視されることによって向上する。これら防眩モジュールの位置、色彩、およびグラフィック的形態（ｇｒａｐｈｉｓｃｈｅｒ Ｇｅｓｔａｌｔｕｎｇ）に関しての、３つの防眩モジュールの個々の構成の可能性により、ドライバーは、それに加えて、このドライバーの安全用ヘルメットが、ほぼ取り違えようのないことを得られる。
【００２４】
本発明の更なる詳細は、以下の詳細な説明、および添付された図から与えられ、これら図内において、本発明の有利な実施形態が、例示的に具体的に説明されている。
【００２５】
防眩システムは、基本的に、外側のヘルメットシェル２、内側のヘルメットシェル３、視野開口部４、面覆い５、およびサンバイザー６を有する安全用ヘルメット１から成っている。
【００２６】
ヘルメット着用者７と反対側の、安全用ヘルメット１の外側面８上に、硬質の外側のヘルメットシェル２が設けられている。ヘルメット着用者７に向いた安全用ヘルメット１の内側面９上に、内側のヘルメットシェル３が設けられている。この内側のヘルメットシェル３は、変形可能な、および衝撃を緩衝するシェルとして形成されている。この視野開口部４は、ヘルメット着用者の眼に対して、相対的に、垂直方向において、５５°よりもより大きな角度の垂直方向の視野１０を解放している。この視野開口部４は、上方に離脱傾倒可能な面覆い５によって閉鎖されている。この面覆い５は、ガラスのように澄明な、即ち透明な材料から形成されている。
【００２７】
サンバイザー６は、視野開口部４を、この視野開口部の、垂直方向で上側の領域において、部分的に、しかも、このサンバイザー６が、弛緩されたほぼ垂直方向のヘルメット着用者７の頭部姿勢において、水平方向の視線１１の上方に、および垂直方向の視野１０の外側に設けられているように覆っている。ヘルメット着用者７の前方に傾斜された頭部姿勢において、このサンバイザー６は、垂直方向の視野１０内へと突出する。
【００２８】
図１に相応する実施形態により、サンバイザー６は、第１の防眩モジュール１２から成り、この防眩モジュールが、ヘルメット着用者７と反対側の外側面１３上に、垂直方向において、面覆い５の上側の縁部に沿って設けられている。
【００２９】
図２に相応する実施形態により、サンバイザー６は、第２の防眩モジュール１４から成り、この防眩モジュールが、ヘルメット着用者７に向いた、面覆い５の内側面１５上に設けられている。これら防眩モジュール１２、１４は、例えば、自己接着性の薄片として形成されている。しかもまた、これら防眩モジュール１２、１４を、図示されていないマジックテープ（登録商標）、または他の閉鎖体を介して、耐摺動的に面覆い５に沿って固定することは可能である。
【００３０】
図３に相応する実施形態により、サンバイザー６は、第３の防眩モジュール１６として形成されており、この防眩モジュールが、外側のヘルメットシェル２と内側のヘルメットシェル３との間の、視野開口部４の外側に位置する上側の領域１７でもって、配設可能である。外側のヘルメットシェル２と内側のヘルメットシェル３との間に挿入された第３の防眩モジュール１６の確実な保持は、既に、これらヘルメットシェル２、３と、第３の防眩モジュール１６との間に、摩擦に基づく摩擦力が与えられていることによって達成される。この保持の付加的な改良は、例えば、引っ掛けフック、接着部のそれぞれの形態、またはマジックテープ（登録商標）挿入物、等々の、それぞれの形態によって達せられる。この第３の防眩モジュール１６は、可撓性の形状安定的な材料から成り、従って、ヘルメットシェルの湾曲に適合可能であり、且つ摩擦力が、この材料の復帰傾向によって向上する。
【００３１】
第３の防眩モジュール１６は、図７に相応する輪郭を有している。上側の領域１７と反対側の下側の側面１８は、基本的に、直線として形成されており、且つ、組み付けられた状態において、基本的に、水平方向に指向している。この下側の側面１８と反対側の、上側の側面１９は、組み付けられた状態において、面覆い開口部４の外側に位置する上側の領域１７内において、２つの互いに間隔をおいて設けられた凸状の成形部２０、２１を有しており、これら凸状の成形部が、合目的に、互いに鏡対称的に配設されている。これら凸状の成形部２０、２１によって、防眩モジュール１６は、容易に、外側のヘルメットシェル２と内側のヘルメットシェル３との間に差し込み可能である。この上側の領域１７、およびこれら凸状の成形部２０、２１の領域において、面覆い５と反対側の内側面２４上に、それぞれ１つの閉鎖体２２、２３が設けられている。これら閉鎖体２２、２３は、例えば、ギルメス社（Ｆｉｒｍａ Ｇｉｒｍｅｓ）から、「ギルメス　イン−ビュルステンベロア（ＧＩＲＭＥＳ ＩＮ− Ｂｕｅｒｓｔｅｎｖｅｌｏｕｒｓ）」として提供されているような、ブラシベロア材料（Ｂｕｅｒｓｔｅｎｖｅｌｏｕｒｓｍａｔｅｒｉａｌ）から形成されている。このブラシベロア材料、即ち閉鎖体２２、２３は、これら閉鎖体の、防眩モジュール１６と反対側の外側面２５上に、上側の側面１９から離れて整向されたパイル状態、即ちブラシベロア（ＢＶ）の起毛方向を有している。合目的に、これら閉鎖体２２、２３は、これら閉鎖体の防眩モジュール１６の上側の側面１９を向いた端部に沿って、この上側の側面１９に適合された輪郭形状を有している。これら閉鎖体２２、２３を、この上側の側面１９に対して間隔をおいて配設することが有用であることがわかった。これら閉鎖体は、内側面２４でもって、例えば、自己接着性の薄片を介して接着されている。
【００３２】
図４に相応する実施形態により、第１の防眩モジュール１２、および第２の防眩モジュール１４は、Ｕ字形に互いに結合されており、且つ、面覆い５の上側の縁部を覆って押し込まれている。その際にこの第２の防眩モジュール１４は、水平方向の視線１１に向かって、第１の防眩モジュール１２を越えて突出している。
【００３３】
図５に相応する実施形態により、面覆い５の内側面１５上に第２の防眩モジュール１４が、外側のヘルメットシェル２と内側のヘルメットシェル３との間に第３の防眩モジュール１６が設けられており、その際、この第３の防眩モジュール１６が、水平方向の視線１１の方向で、この第２の防眩モジュール１４を突出している。
【００３４】
図６に相応する実施形態により、面覆い５に沿って、第１の防眩モジュール１２および第２の防眩モジュール１４が設けられており、これに対して、第３の防眩モジュール１６は、外側のヘルメットシェル２と内側のヘルメットシェル３との間に設けられている。これら防眩モジュール１２、１４、１６は、その際に、水平方向の視線１１に向かって突出している。
【００３５】
防眩モジュール１２、１４、１６は、透明の着色された材料から成っている。その際に、これら防眩モジュール１２、１４、１６は、異なる着色を有している。これら防眩モジュール１２、１４、１６は、付加的に、反射する特性を有する被覆部を備えている。付加的に、この被覆部は、グラフィック的要素（ｇｒａｐｈｉｓｃｈｅ Ｅｌｅｍｅｎｔｅ）を有している。
【００３６】
サンバイザー６は、３つの防眩モジュール１２、１４、１６から成るシステムアップセット（Ｎａｃｈｒｕｅｓｔｓｅｔ）として形成されており、このシステムアップセットによって、市販の安全用ヘルメットは、後から追加して、本発明による防眩システムでもって、個々にシステムアップ可能である。
【００３７】
ヘルメット着用者の弛緩された垂直方向の頭部姿勢において、サンバイザー６、即ち防眩モジュール１２、１４、１６は、垂直方向の視野１０の外側に存在している。前方への頭部の傾斜によって、このヘルメット着用者は、サンバイザー６を、このヘルメット着用者の垂直方向の視野９内へと、挿入させることができる。
段階を付けられて突出する、多数の防眩モジュール１２、１４、１６において、従って、もっぱら頭部の傾斜だけで、異なる防眩作用が達せられる。
【図面の簡単な説明】
【図１】
面覆いの外側面上に設けられた１つの防眩モジュールを有する、断面および切開状態における、部分的な、防眩システムの側面図である。
【図２】
面覆いの内側面上に設けられた１つの防眩モジュールを有する、断面および切開状態における、部分的な、防眩システムの側面図である。
【図３】
外側のヘルメットシェルと内側のヘルメットシェルとの間に設けられた１つの防眩モジュールを有する、断面および切開状態における、部分的な、防眩システムの側面図である。
【図４】
それらが互いにＵ字形に結合されている、外側面上に設けられた１つの防眩モジュール、および内側面上に設けられた１つの防眩モジュールを有する、断面および切開状態における、面覆いの側面図である。
【図５】
面覆いの内側面上に設けられた１つの防眩モジュール、および外側面上に設けられた１つの防眩モジュール、および外側のヘルメットシェルと内側のヘルメットシェルとの間に設けられた１つの防眩モジュールを有する、断面および切開状態における、部分的な、防眩システムの側面図である。
【図６】
弛緩された、垂直方向のヘルメット着用者の頭部姿勢、およびサンバイザーによって覆われていない面覆いの領域を貫く自由な視界における、３つの防眩モジュールを有する、防眩システムの側面図である。
【図７】
その頭部姿勢において、サンバイザーが、垂直方向の視野内へと挿入する、前方へと傾斜されたヘルメット着用者の頭部姿勢を有する、図６の防眩システムの側面図である。
【図８】
２つの閉鎖体を有する、第３の防眩モジュールの背面図である。
【図９】
拡大された図示における、図８の閉鎖体の背面図である。
【図９】
2004504511.tif 000003
【国際公開パンフレット】
2004504511.tif 000004
2004504511.tif 000005
2004504511.tif 000006
2004504511.tif 000007
2004504511.tif 000008
2004504511.tif 000009
2004504511.tif 000010
2004504511.tif 000011
2004504511.tif 000012
2004504511.tif 000013
2004504511.tif 000014
2004504511.tif 000015
2004504511.tif 000016
2004504511.tif 000017
2004504511.tif 000018
2004504511.tif 000019
2004504511.tif 000020
2004504511.tif 000021
2004504511.tif 000022
2004504511.tif 000023
【国際調査報告】
2004504511.tif 000024
2004504511.tif 000025
2004504511.tif 000026
2004504511.tif 000027
2004504511.tif 000028
2004504511.tif 000029